(57)【要約】【課題】  車室内スペースの有効利用を図ることができるとともに、簡単構成で上記シートに着座した乗員をシートベルトにより保護できるようにする。【解決手段】  側面に乗降口１ａ，１ｂが設けられた車室２内に、運転席シートおよび助手席シートからなる前列シート７が配設されるとともに、その後方側に後列シート８が配設された車両において、上記助手席シートを、運転席シートの側方位置から後列シート８に近接した位置まで後退可能に支持するとともに、この後列シート８と、上記後退位置に移動した助手席シートとに共用されるシートベルト機構６０を設けた。【選択図】      図１
2005280571.tif 000002
【特許請求の範囲】
【請求項１】
側面に乗降口が設けられた車室内に、運転席シートおよび助手席シートからなる前列シートが配設されるとともに、その後方側に後列シートが配設された車両において、上記助手席シートを、運転席シートの側方位置からその後方に位置する後列シートに近接した位置まで後退可能に支持するとともに、この後列シートと、上記後退位置に移動した助手席シートとに共用されるシートベルト機構を設けたことを特徴とする車両用シート装置。
【請求項２】
シートベルト機構は、シートベルトを巻き取るリトラクタと、このリトラクタから繰り出されたシートベルトを車体の上方側において支持するアンカーと、シートベルトの先端部を車体側に係止するバックルとを有し、後列シートに着座した乗員と、後退位置に移動した助手席シートに着座した乗員とを保護し得る位置に上記シールベルト機構が配設されたことを特徴とする請求項１に記載の車両用シート装置。
【請求項３】
助手席シートの後方に位置する後列シートを、通常の使用状態と前後幅が縮小された格納状態とに変位可能に構成するとともに、この格納状態となった後列シートの通常使用状態に対応する位置まで上記助手席シートを後退可能に支持したことを特徴とする請求項１に記載の車両用シート装置。
【請求項４】
後列シートのシートクッションを上方に揺動変位させて跳ね上げることにより、助手席シートの後退領域上における後列シートの前後幅を縮小することを特徴とする請求項１〜３の何れか１項に記載の車両用シート装置。
【発明の詳細な説明】
【技術分野】
【０００１】
車室内に、側面に乗降口が設けられた車室内に、運転席シートおよび助手席シートからなる前列シートが配設されるとともに、その後方側に後列シートが配設された車両用シート装置に関するものである。
【背景技術】
【０００２】
従来、例えば下記特許文献１に示されるように、乗客優先の場合には後列シート（リヤシート）をロアレールに沿って車室の前方に移動させてシートクッションを着座可能状態とし、荷物積載優先の場合には後列シートのシートクッションを上方に跳ね上げた折畳み状態として車室の前方側に後列シートを移動させることにより、車室後方の積載容量を増大させるように構成されたいわゆるワンボックスカー等において、前列シートと後列シートとの間に配設された中間列シートを必要に応じて取り外すことにより前列シートと後列シートとの間に広いスペースを確保することが行われている。
【０００３】
また、下記特許文献２に示されるように、第１後列シートと、その後方に配置された第２後列シートとを車両の前後方向に移動可能に支持する自動車のシートスライド装置において、上記第１後列シートと第２後列シートとの両方に亘り連続して車両の前後方向に延びるレール部材を配置し、かつ上記第１および第２後列シートのシートバックを、乗員が着座可能な起立状態と、シートクッションの後方側に後傾させたフラット状態と、シートクッション上に前傾させた折畳み状態とに変位させることにより、第１および第２後列シートの移動範囲を拡大して座席の配列パターンを多様化することが行われている。
【特許文献１】特開平０３−２３５７２９号公報
【特許文献２】特開平０６−３３６１３１号公報
【発明の開示】
【発明が解決しようとする課題】
【０００４】
上記特許文献１，２に示すように、車室内に配設された乗員用シートを車体の前後方向にスライド変位させるように構成した場合には、車室内空間の有効利用を図ることができるという利点を有する。しかし、乗員を保護するために設けられたシートベルト機構を上記乗員用シートのスライド変位に対応させて移動させ、あるいはシートベルト機構を複数個所に配設する等により、車体の前後方向における乗員用シートの設置位置が変化した場合においても、上記シールベルト機構により乗員を保護するように構成する必要があるため、構造が複雑になることが避けられないという問題があった。
【０００５】
本発明は上記の点に鑑みてなされたものであり、乗員用シートを移動させることにより車室内スペースの有効利用を図ることができるとともに、簡単構成で上記シートに着座した乗員をシートベルトにより保護することができる車両用シート装置を提供するものである。
【課題を解決するための手段】
【０００６】
請求項１に係る発明は、側面に乗降口が設けられた車室内に、運転席シートおよび助手席シートからなる前列シートが配設されるとともに、その後方側に後列シートが配設された車両において、上記助手席シートを、運転席シートの側方位置からその後方に位置する後列シートに近接した位置まで後退可能に支持するとともに、この後列シートと、上記後退位置に移動した助手席シートとに共用されるシートベルト機構を設けたものである。
【０００７】
請求項２に係る発明は、上記請求項１に記載の車両用シート装置において、シートベルト機構が、シートベルトを巻き取るリトラクタと、このリトラクタから繰り出されたシートベルトを車体の上方側において支持するアンカーと、シートベルトの先端部を車体側に係止するバックルとを有し、後列シートに着座した乗員と、後退位置に移動した助手席シートに着座した乗員とを保護し得る位置に上記シールベルト機構が配設されたものである。
【０００８】
請求項３に係る発明は、上記請求項１に記載の車両用シート装置において、助手席シートを運転席シートの側方位置から、助手席シートの後方に位置する後列シートを通常の使用状態と前後幅が縮小された格納状態とに変位可能に構成するとともに、この格納状態となった後列シートの通常使用状態に対応する位置まで上記助手席シートを後退可能に支持したものである。
【０００９】
請求項４に係る発明は、上記請求項１〜３の何れか１項に記載の車両用シート装置において、後列シートのシートクッションを上方に揺動変位させて跳ね上げることにより、助手席シートの後退領域上における後列シートの前後幅を縮小するものである。
【発明の効果】
【００１０】
上記請求項１に係る発明によれば、助手席シートを運転席シートの側方位置から、後列シートに近接した位置まで後退させることにより、運転席シートの側方側および助手席シートの前方側に広い自由空間を形成することができ、かつ後列シート用と助手席シート用との両方に利用可能に構成された単一のシートベルト機構により、通常位置にある後列シートの乗員と、上記後退位置にある助手席シートの乗員とを選択的に保護することができるため、簡単な構成で車室内スペースの有効利用と、乗員の保護との両立を図ることができる。
【００１１】
上記請求項２に係る発明では、助手席シートが運転席シートの側方に位置する通常の使用状態にある場合には、その後方に位置する後列シート用に設けられたシートベルト機構のリトラクタから繰り出されたシートベルトを上記車体の上方側に設けられたアンカーにより支持しつつ、シートベルトの先端部を車体側に設けられたバックルに係止することにより、上記シートベルト機構によって助手席側後列シートに着座した乗員を保護することができる。また、助手席シートが、後列シートに近接した位置まで後退した状態にある場合には、上記後列シート用に設けられたシートベルト機構のリトラクタから繰り出されたシートベルトを上記車体の上方側に設けられたアンカーにより支持しつつ、シートベルトの先端部を車体側に設けられたバックルに係止することにより、上記助手席シートに着座した乗員を上記シートベルト機構によって保護することができる。
【００１２】
上記請求項３に係る発明では、助手席シートの後方に位置する後列シートの前後幅を縮小した格納状態で、助手席シートを、格納状態となった後列シートの通常使用状態に対応する位置に後退させることにより、助手席シートの後退可能範囲を大幅に拡大することができるとともに、後列シート用のシートベルト機構を使用して上記助手席シートに着座した乗員を容易かつ適正に保護することができる。
【００１３】
上記請求項４に係る発明では、助手席シートの後方側に位置する後列シートを上方に揺動変位させて跳ね上げるだけで、この助手席側後列シートの前後幅を縮小して助手席シートの後退可能範囲を大幅に拡大することができるとともに、後列シート用に設置された単一のシートベルト機構を使用して、通常位置にある後列シートの乗員と、上記後退位置にある助手席シートの乗員とを選択的に保護できるという利点がある。
【発明を実施するための最良の形態】
【００１４】
図１〜図５は、本発明の実施形態に係る車両用シート装置を有する車両の概略構成を示している。この車両は、側面にフロントドアおよびリアドア等が設置される複数の乗降口１ａ，１ｂを具備する車室２が前輪車軸３と後輪車軸４との間に設けられたいわゆるミニバンタイプであり、上記車室２内には、フロアパネル５が左右のサイドシル６間に設けられるとともに、複数の乗員用シート７，８が上記フロアパネル５上に配置されている。すなわち、上記フロアパネル５の前部には、運転席シート７ａおよび助手席シート７ｂからなる前列シート７が配置されるとともに、その後方側には、左右に分割された一対の独立シート８ａ，８ｂからなる後列シート８が配置されている。
【００１５】
上記各乗員用シート７，８には、それぞれシートクッション９と、シートバック１０とが設けられるとともに、少なくとも上記助手席シート７ｂおよびその後方に位置する独立シート（以下、助手席側後列シートという）８ｂには、そのシートクッション９を揺動可能に支持する支持部材１１Ａ，１１Ｂが設けられている。そして、図１に示すように略水平な使用状態に設置された上記助手席シート７ｂおよび助手席側後列シート８ｂのシートクッション９を、図２に示すように、上方に揺動変位させて跳ね上げることにより、前後幅が縮小された格納状態に変位させるように構成されている。
【００１６】
上記フロアパネル５の車幅方向中央部には、図３および図４に示すように、車体の前後方向に延びる所定幅のトンネル部１２が上方に向けて突設されるとともに、フロアパネル５の左右両側端部が上記サイドシル６の内側面に固着されている。また、上記フロアパネル５の下面には、車体の前後方向に延びる左右一対のフロアフレーム１４が固着されるとともに、その前端部には、車体前部のエンジンルーム内に延びる左右一対のフロントサイドフレーム１５が一体的に設けられている。
【００１７】
上記フロアパネル５の上面には、トンネル部１２とサイドシル６とを連結する前後一対のフロアクロスメンバ１６，１７が固着されている。また、上記トンネル部１２の下方には、燃料タンク１８が車体の前後方向に延びるように設置されている（図５参照）。上記トンネル部１２の上面一側辺部（助手席シート７ｂ側の側辺部）に沿って凹部１２ｃが形成され、この凹部１２ａ内に助手席シート７ｂの内側辺部を支持するシートレール部材１９が設置されている。
【００１８】
上記サイドシル６は、アウタパル６ａおよびインナパネル６ｂを有し、その上下に設けられた接合フランジ部が互いに接合されることにより車体の前後方向に延びる閉断面を形成している。そして、上記インナパネル６ｂの上面内側辺部に沿って凹部６ｃが形成され、この凹部６ｃ内に上記助手席シート７ｂの外側辺部を支持するシートレール部材２０が設置されている。
【００１９】
上記シートレール部材１９，２０は、上面が開口した溝型鋼等からなり、その内部にスライドプレート２１，２２の下端部が挿入されるように構成されている。そして、上記スライドプレート２１，２２の下端部に設けられた水平軸により回転自在に支持された左右一対のスライドローラ２３が、上記シートレール部材１９，２０の底部に沿って転動する等により、スライドプレート２１，２２および助手席シート７ｂが車体の前後方向にスライド変位するようになっている。
【００２０】
上記両スライドプレート２１，２２のうち車体の内方側に位置するスライドプレート２１には、図６〜図１０に示すように、助手席シート７ｂを所望の前後位置に係止する係止機構２４が設けられている。また、上記スライドプレート２１を支持するシートレール部材１９、つまり上記両シートレール部材１９，２０のうち車体の内方側に位置するシートレール部材１９には、助手席シート７ｂの後方移動を所定の位置で規制するストッパー機構２５が設けられている。
【００２１】
上記係止機構２４は、スライドプレート２１の側面に揺動可能に支持されたロックプレート２６と、このロックプレート２６を揺動操作する操作レバー２７とを有し、上記ロックプレート２６の下端部には係止突起２６ａがシートレール部材１９側に突設されるとともに、このシートレール部材１９の側面にはスロット２８が所定間隔で形成されている。そして、助手席シート７ｂの前後位置が調節された状態で、シートレール部材１９のスロット２８に上記ロックプレート２６の係止突起２６ａが選択的に係合されることにより、上記スライドプレート２１および助手席シート７ｂの前後移動が拘束されるようになっている。また、上記操作レバー２７によりロックプレート２６をロック解除方向に揺動変位させて係止用突起２６ａをスロット２８から離脱させると、上記係止機構２４による係止状態が解除されてスライドプレート２１および助手席シート７ｂの前後移動が許容されることになる。
【００２２】
上記ストッパー機構２５は、シートレール部材１９の下面に固着された基板２９と、この基板２９の上面に支持されたストッパー部材３０と、上記基板２９の下面に基端部が支持されたロックプレート３１と、このロックプレート３１を揺動操作する操作レバー３２とを有している。上記ストッパー部材３０は、基板２９に突設された縦軸３３を支点に回動可能に支持された支持部３０ａと、この支持部３０ａの側端から上方に突設された起立部３０ｂとその上端部に取り付けられた水平部３０ｃとを有している。
【００２３】
そして、通常時には、上記ストッパー部材３０の起立部３０ｂに形成された係合孔３４に上記ロックプレート３１の上端部が嵌入されることにより、ストッパー部材３０の回動変位が規制されている。この状態で上記助手席シート７ｂが後退して図９に示すように、スライドプレート２１の後端部が上記ストッパー部材３０の水平部３０ｃに当接すると、上記スライドプレート２１の後方移動が上記ストッパー機構２５のストッパー部材３０により規制されることになる。このストッパー機構２５による助手席シート７ｂの後退規制位置は、後方の助手席側後列シート８ｂに着座した乗員の膝等に助手席シート７ｂが当接するのを防止し得るように、通常の使用状態にある助手席側後列シート８ｂのシートクッション９のやや前方側に設定されている。
【００２４】
上記規制位置に助手席シート７ｂが到達した時点で、操作レバー３２によってロックプレート３１をロック解除方向に揺動変位させ、その上端部を上記係合孔３４から離脱させることにより、上記ストッパー部材３０の回動変位が許容されるように構成されている。この結果、ストッパー部材３０によるスライドプレート２１の後退規制状態が解除され、助手席シート７ｂを後方に移動させる押圧力が作用すると、図１０に示すように、ストッパー部材３０が縦軸３３を支点に回動変位しつつ、上記スライドプレート２１および助手席シート７ｂが後退することが可能となる。
【００２５】
助手席シート７ｂの後方に位置する助手席側後列シート８ｂには、そのシートクッション９を水平な使用状態に係止するロックアーム３６が設けられている。また、上記ストッパー部材３０の水平部３０ｃには、上記ロックアーム３６によるシートクッション９のロック状態を解除する駆動レバー３７が一体に設けられるとともに、この駆動レバー３７と、上記ロックアーム３６とがワイヤー３８により一体に連結されている。そして、上記駆動レバー３７の回動変位がワイヤー３８を介して上記ロックアーム３６に伝達されることにより、このロックアーム３６がロック状態解除方向に駆動されるようになっている。
【００２６】
すなわち、上記助手席側後列シート８ｂのシートクッション９の下方に位置するフロアパネル５上には、図１１〜図１３に示すように、上記ロックアーム３６が揺動可能に支持されるとともに、上記シートクッション９の下面には、ロックアーム３６に係合されるストライカ３９が設けられている。また、上記助手席側後列シート８ｂのシートクッション９は、支持部材１１Ｂに設けられた支持軸４０を支点にして揺動可能に支持されるとともに、この支持軸４０と上記支持部材１１Ｂとに係止されたねじりコイルばね等からなる付勢手段４１により上方に付勢されている。
【００２７】
そして、通常時には、図示を省略したねじりコイルばね等からなる付勢部材の付勢力に応じ、上記ロックアーム３６がストライカ３９に係合されることにより、図１１に示すように、上記付勢手段４１の付勢力に抗して助手席側後列シート８ｂのシートクッション９が略水平な使用状態に係止されている。
【００２８】
上記助手席シート７ｂを後方に移動させる押圧力に応じてストッパー部材３０および上記駆動レバー３７が縦軸３３を支点に回動変位すると、図１０に示すように、上記ワイヤー３８を介してストライカ３９との係合が解除される方向にロックアーム３６が駆動されることより、図１２に示すように、ロックアーム３６によるシートクッション９の係止状態が解除されるようになっている。この結果、上記付勢部材４１の付勢力に応じ、シートクッション９が上記支持軸４０を支点にして上方に揺動変位し、図１３および図１４に示すように、シートクッション９が跳ね上げられることにより、このシートクッション９とシートバック１０とが起立状態で相対向した格納状態、つまり助手席側後列シート８ｂの前後幅が縮小された状態となる。
【００２９】
上記のように助手席側後列シート８ｂのシートクッション９を上方に揺動変位させてその前後幅を縮小した状態（格納状態）で、その通常使用状態に対応する位置（跳ね上げられる前に上記シートクッション９が設置されていた位置）まで助手席シート７ｂを後退させ得るように、上記シートレール部材１９，２０の後端部が助手席側後列シート８ｂの通常使用位置まで延設されている。
【００３０】
また、上記助手席シート７ｂは、図１５に示すように、支持部材１１Ａに設けられた支持軸４２を支点にシートクッション９が上方に揺動変位して跳ね上げられることにより、このシートクッション９とシートバック１０とが起立状態で相対向した格納状態に変位可能に構成されるとともに、この格納状態でインストルメントパネル４３に近接した位置まで助手席シート７ｂを前進させ得るように、上記シートレール部材１９，２０の前端部がインストルメントパネル４３の下端部近傍まで延設されている。
【００３１】
車室２の後部側面には、図１および図１４〜図１６に示すように、後列シート８に着座した乗員を保護するためのシートベルト機構６０が設けられている。このシートベルト機構６０は、後列シート８の後方下部に配設されたリトラクタ６１と、このリトラクタ６１から繰り出された肩ベルト６２からなるシートベルトを後列シート８の後部上方において支持するアンカー６３と、乗員の腰部分を拘束する腰ベルト６４と、この腰ベルト６４および上記肩ベルト６２の先端部に設けられたタング（図示せず）を上記後列シート８のシートクッション９の内側方部において車体側に係止するバックル６５とを有する三点式シートベルト機構からなっている。そして、図１４に示すように、助手席側後列シート８ｂのシートクッション９を跳ね上げて格納した状態で、その通常使用状態に対応する位置まで助手席シート７ｂを上記シートレール部材１９，２０に沿って後退させることにより、この助手席シート７ｂ用として上記シートベルト機構６０を利用可能に構成されている。
【００３２】
上記構成において図１に示すように、助手席シート７ｂを運転席シート７ａの側方に設置した通常の使用状態では、上記後列シート８用のシートベルト機構６０により助手席側後列シート８ｂに着座した乗員が保護される。また、上記の状態で運転席シート７ａおよび助手席シート７ｂに着座した乗員は、図示を省略した運転席用シートベルト機構および助手席用シートベルト機構によりそれぞれ保護される。
【００３３】
そして、上記係止機構２４による助手席シート７ｂの拘束状態を解除することにより、上記通常位置（運転席シート７ａの側方位置）から、車体の後方側に助手席シート７ｂを移動させる際には、上記助手席シート７ｂが、通常の使用状態にある後列シート８のシートクッション９のやや前方側に到達した時点で、上記ストッパー機構２５により助手席シート７ｂの後退が規制される。
【００３４】
この状態から、助手席シート７ｂをさらに後退させるためには、上記ストッパー機構２５による後退規制状態を解除した後、車体の後方側に助手席シート７ｂをスライド変位させてストッパー部材３０を回動変位させることにより、上記駆動レバー３７をロックアーム３６のロック解除方向に駆動する。この結果、上記ロックアーム３６による助手席側後列シート８ｂのシートクッション９の係止状態が解除され、このシートクッション９が付勢手段４１に付勢力に応じて跳ね上げられることにより格納状態に移行する。このため、助手席シート７ｂを上記シートレール部材１９，２０に沿ってさらに後退させることが許容され、図１４に示すように、助手席側後列シート８ｂの通常使用状態に対応する位置まで助手席シート７ｂを後退させることが可能となる。
【００３５】
上記のように助手席シート７ｂを、運転席シート７ａの側方位置から、格納状態となって助手席側後列シート８ｂの通常使用状態に対応する位置まで後退させることにより、上記後列シート８用のシートベルト機構６０を、助手席シート７ｂに着座した乗員用として利用することができる。したがって、助手席側後列シート８ｂを使用しない場合には、助手席シート７ｂを上記後退位置に移動させることにより、運転席シート７ａの側方側および助手席シート７ｂの前方側に広い自由空間を形成してその有効利用を図ることができるとともに、上記助手席シート７ｂ用に設けられたシートベルト機構を移動させる等の複雑な構造を採用することなく、上記後列シート８用のシートベルト機構６０を使用して助手席シート７ｂに着座した乗員を保護することができる。
【００３６】
すなわち、上記実施形態では、肩ベルト６２からなるシートベルトを巻き取るリトラクタ６１と、このリトラクタ６１から繰り出された肩ベルト６２を車体の上方側において支持するアンカー６３と、シートベルト６２，６４の先端部を車体側に係止するバックル６５とを有するシートベルト機構６０を、通常の使用状態にある助手席側後列シート８ｂに着座した乗員と、後退位置に移動した助手席シート７ｂに着座した乗員とを保護し得る位置に配設したため、助手席シート７ｂが運転席シート７ａの側方に位置する通常の使用状態にある場合に、上記シートベルト機構６４により、上記助手席側後列シート８ｂに着座した乗員を保護することができる。また、助手席シート７ｂが、格納状態となった助手席側後列シート８ｂの通常使用位置に対応した位置まで後退した状態にある場合には、上記助手席側後列シート８ｂ用に設けられたシートベルト機構６０のリトラクタ６１から繰り出された肩ベルト６２を上記車体の上方側に設けられたアンカー６３により支持しつつ、肩ベルト６２の先端部を車体側に設けられたバックル６５に係止することにより、上記助手席シート７ｂに着座した乗員を上記シートベルト機構６０によって保護することができる。
【００３７】
特に上記実施形態では、助手席側後列シート８ｂのシートクッション９を上方に揺動変位させて跳ね上げることにより、助手席側後列シート８ｂの前後幅を縮小した格納状態に変位可能に構成するとともに、この格納状態となった助手席側後列シート８ｂの通常使用状態に対応した位置まで助手席シート７ｂをシートレール部材１９，２０に沿って後退可能に支持したため、上記助手席側後列シート８ｂを取り外す等の繁雑な作業を要することなく、後列シート８用に設けられたシートベルト機構６０の設置部まで助手席シート７ｂを容易に後退させることができるとともに、上記シートベルト機構６０を、通常の使用状態にある助手席側後列シート８ｂと、上記後退位置に移動した助手席シート７ｂとに共用することができ、簡単な構成でスペースの有効利用と、乗員の保護との両立を図ることができる。
【００３８】
また、上記実施形態に示すように、助手席側後列シート８ｂのシートクッション９を、支持部材１１Ｂに設けられた支持軸４０を支点にして上記シートクッション９を上方に揺動変位させるとともに、上記シートクッション９を上方に揺動変位させる付勢手段４１を設けた場合には、上記ロックアーム３６によるシートクッション９の係止状態を解除することにより、シートクッション９を自動的に跳ね上げて助手席側後列シート８ｂを容易に格納状態に移行できるという利点がある。
【００３９】
上記実施形態では、助手席シート７ｂの外側辺部を支持するシートレール部材２０を、車体の側辺部に沿って前後方向に延びる剛性部材からなるサイドシル６上に配設したため、上記シートレール部材２０の支持剛性を充分に確保することができるとともに、シートレール部材２０をサイドシル６に溶接する等により、このサイドシル６をシールレール部材２０で補強してその剛性を効果的に向上させることができる。特に、上記実施形態では、サイドシル６のインナパネル６ｂの上面内側辺部に沿って形成された凹部６ｃ内に上記シートレール部材２０を設置するように構成したため、このシートレール部材２０の設置状態を効果的に安定させることができるとともに、上記サイドシル６の上方にシートレール部材２０が突出した状態となるのを防止して、乗員の乗降性等を効果的に改善できるという利点がある。
【００４０】
また、上記実施形態に示すように、助手席シート７ｂの内側辺部を支持するシートレール部材１９を、車体の中央部に沿って前後方向に延びる剛性部材からなるトンネル部１２上に配設した場合には、上記シートレール部材１９の支持剛性を充分に確保することができるとともに、シートレール部材１９をトンネル部１２に溶接する等により、このトンネル部１２をシールレール部材１９で補強してその剛性を効果的に向上させることができる。
【００４１】
上記実施形態では、通常の使用状態にある後列シート８のシートクッション９のやや前方側に上記助手席シート７ｂが到達した時点で、上記ストッパー機構２５により助手席シート７ｂの後退を規制するように構成したため、この助手席シート７ｂを後退させる際に、上記助手席側後列シート８ｂに着座した乗員の膝等に助手席シート７ｂが当接するのを効果的に防止できるという利点がある。
【００４２】
そして、上記ストッパー機構２５に設けられた操作レバー３２を操作して上記後退規制状態を解除した後、車体の後方側に助手席シート７ｂをスライド変位させることにより、ストッパー部材３０を回動変位させるとともに、これと連動して上記駆動レバー３７をロックアーム３６のロック解除方向に駆動するように構成したため、上記付勢手段４１に付勢力に応じて助手席側後列シート８ｂのシートクッション９を適正なタイミングで跳ね上げて格納状態に移行させることができる。
【００４３】
なお、上記付勢手段４１に付勢力に応じて助手席側後列シート８ｂのシートクッション９を跳ね上げて格納状態に移行させるように構成された上記実施形態に代え、助手席シート７ｂの後退操作に応じて助手席側後列シート８ｂのシートクッション９を跳ね上げる駆動リンクを設け、あるいは乗員が手動操作でシートクッション９を揺動操作することにより、助手席側シート７ｂを格納状態に移行させるように構成してもよい。また、上記シートクッション９を揺動変位させる電動駆動機構または駆動シリンダ等を設け、上記助手席シート７ｂが後退操作されたことを検出する検出手段の出力信号、もしくは乗員のスイッチ操作に応じてシートクッション９を自動的に跳ね上げるように構成してもよい。
【００４４】
また、図１７に仮想線で示すように、支持軸４０を支点に助手席側後列シート８ｂのシートバック１０を傾動可能に支持することにより、このシートバック１０を車体の前方側に傾動させてシートクッション９上に折畳み得るように構成するとともに、このシートクッション９の後端部をフロア上に係止する係止機構４８と、シートクッション９を揺動可能に支持する支持リンク４９とを設けた構造としてもよい。上記係止機構４８には、シートクッション９の下面に設けられたストライカ５０に係合されることにより、シートクッション９を略水平な使用状態に係止するロックアーム５１と、このロックアーム５１の係合部をストライカ５０から離脱させる駆動レバー５２とが設けられている。
【００４５】
そして、上記駆動レバー５２を操作してロックアーム５１によるシートクッション９の係止状態を解除するとともに、シートバック１０をシートクッション９上に折畳んだ状態で、支持リンク４９により助手席側後列シート８ｂを支持しつつ、車体の前方側に揺動変位させることにより、図１８に示すように、フロアパネル５に設けられた格納用凹部５３内に上記助手席側後列シート８ｂを格納するように構成した場合には、上記助手席シート７ｂの後退領域、つまりそのシートクッション９の移動領域上における上記助手席側後列シート８ｂの前後幅を０に縮小した格納状態とすることができるため、その上方に助手席シート７ｂを移動させることにより、後方側への助手席シート７ｂの移動可能範囲をさらに拡大できるという利点がある。
【００４６】
また、後列シート８を左右に分割された複数の独立シート８ａ，８ｂにより構成するとともに、各独立シート８ａ，８ｂを個別に格納可能に構成した上記実施形態に代え、後列シート８に設けられた複数座席のシートクッション９およびシートバック１０を一体に形成し、このシートクッション９またはシートバック１０を揺動変位させて各シートを同時に格納状態とすることもできる。
【００４７】
しかし、上記実施形態に示すように、各独立シート８ａ，８ｂを個別に格納可能に構成した場合には、運転席シート７ａの後方側に位置する独立シート８ａを通常の使用状態に維持しつつ、上記助手席シート７ｂを、格納状態とした助手席側後列シート８ｂの通常使用位置に対応した位置に移動させて、図１９に示すように、上記独立シート８ａの側方に助手席シート７ｂを位置させることにより、助手席シート７ｂの前方側に広い自由空間を形成しつつ、この助手席シート７ｂおよび上記独立シート８ａに複数の乗員が並んで着座できる等の利点がある。
【００４８】
特に、上記助手席側後列シート８ｂを格納状態として助手席シート７ｂを後方に移動させることにより、この助手席シート７ｂのシートクッション９と、運転席シート７ａの後方側に位置する上記独立シート８ａのシートクッション９とが連続した座面を構成するように両シートクッション９の設置高さを略同一とした場合には、この助手席シート７ｂおよび上記独立シート８ａのシートクッション９を一体化して利用できるため、車両用シートの使い勝手を効果的に向上させることができる。なお、上記のように格納状態とした助手席側後列シート８ｂを通常の使用位置よりもやや後方に移動させることにより、この助手席シート７ｂのシートクッション９と、運転席シート７ａ側の独立シート８ａのシートクッション９とにより完全に連続した座面が構成されるようにしてもよい。
【００４９】
また、上記実施形態では、助手席シート７ｂのシートクッション９を上方に揺動変位させて跳ね上げることにより、助手席シート７ｂの前後幅を縮小した格納状態とするように構成したため、乗員用シート７，８の配列パターンを、さらに効果的に多様化できるという利点がある。例えば、図２０に示すように、助手席シート７ｂおよび助手席側後列シート８ｂの両方を格納状態として上記助手席シート７ｂを、助手席側後列シート８ｂの通常使用状態に対応する位置まで後退させることにより、運転席シート７ａの側方に極めて広い自由空間を形成することが可能である。
【００５０】
特に、図１５に示すように、助手席シート７ｂのシートクッション９を上方に跳ね上げた格納状態として助手席シート７ｂを車室前方のインストルメントパネル４３に近接した位置に移動可能なように、上記助手席シート７ｂ用のシートレール部材１９，２０を配設した場合には、助手席シート７ｂの後方側に広い自由空間を形成することができるため、後列シート８に対する乗員の乗降性を効果的に向上させることができる。また、図２１に示すように、上記助手席シート７ｂのシートクッション９を上方に跳ね上げた格納状態として車室前方のインストルメントパネル４３に近接した位置に助手席シート７ｂを移動させるとともに、助手席側後列シート８ｂを上記格納状態とすることにより、運転席シート７ａおよびその後方に位置する独立シート８ａの側方に広い自由空間を形成できるという利点がある。
【００５１】
また、図１９の仮想線で示すように、助手席シート７ｂにチャイルドシート５４を装着可能に構成した場合には、このチャイルドシート５４が装着された助手席シート７ｂを、格納状態とした上記助手席側後列シート８ｂの通常使用位置に対応した位置に移動させることにより、運転席シート７ａの後方に位置する独立シート８ａに着座した乗員が、上記チャイルドシート５４上の子供に対する世話を行うのに便利なように乗員用シートを配列できるともに、上記チャイルドシート５４を車体の後方側に位置させることにより、その安全性を向上させることができるという利点がある。
【００５２】
また、上記実施形態に示すように、車室２の側面に複数の乗降口１ａ，１ｂが設けられた車両では、例えば図１４および図１９に示すように、助手席シート７ｂを、格納状態とした上記助手席側後列シート８ｂの通常使用位置に対応した位置に移動させた状態で、上記運転席シート７ａおよび助手席シート７ｂに対して多様な方向から乗員が乗降することが可能であるため、その乗降性を効果的に向上させることができるという利点がある。
【００５３】
なお、運転席シート７ａの後方側に配設された独立シート８ａを、上記助手席側後列シート８ｂと同様に、通常の使用状態と前後幅が縮小された格納状態とに変更可能に構成するとともに、運転席シート７ａを、上記助手席シート７ｂと同様にシートレール部材に沿って車体の前後方向にスライド変位させることにより、格納状態となった上記独立シート８ａの通常使用状態に対応する位置まで後退可能なように構成してもよい。
【００５４】
また、車室２内の下方に配設されたシートレール部材１９，２０に沿って助手席シート７ｂを車体の前後方向に移動可能に支持してなる上記実施形態に代え、上記助手席シート７ｂを前後移動可能に支持するリンク機構を設けることにより、この助手席シート７ｂを、運転席の側方位置から格納状態となった助手席側後列シート８ｂの通常使用状態に対応する位置まで後退可能に支持することも可能である。しかし、上記リンク機構により助手席シート７ｂを前後移動可能に構成した場合には、構造が複雑になるとともに移動可能な範囲が制限されるため、上記シートレール部材１９，２０に沿って助手席シート７ｂ等からなる前列シートを前後移動可能に構成することが好ましい。
【００５５】
さらに、図２２に示すように、上記シートベルト機構６０のリトラクタ６１から繰り出されるとともに、アンカー６３により車体の上方側において支持された肩ベルト６２および腰ベルト６４等からなるシートベルトの先端部を車体側に係止するバックル６５を車体の前後方向の複数個所に設け、上記シートベルトの先端部を選択的に車体下部に係止するようにしてもよい。このように構成した場合には、上記後退位置に移動した助手席シート７ｂに着座した乗員を、上記助手席側後列シート８ｂ用に設けられたシートベルト機構６０により安定して保護できるという利点がある。また、上記助手席側後列シート８ｂの前後幅を縮小した格納状態とすることなく、この助手席側後列シート８ｂに近接した位置まで助手席シート７ｂを後退させた状態で、上記助手席側後列シート８ｂ用に設けられたシートベルト機構６０により上記後退位置にある助手席シート７ｂに着座した乗員を保護することも可能である。
【図面の簡単な説明】
【００５６】
【図１】本発明に係る車両用シート装置の実施形態を示す側面図である。
【図２】本発明に係る車両用シート装置の実施形態を示す斜視図である。
【図３】フロアパネルの具体的構成を示す平面図である。
【図４】フロアパネルの具体的構成を示す斜視図である。
【図５】シートレール部材の設置状態を示す正面断面図である。
【図６】助手席シートの係止機構およびストッパー機構の具体的構成を示す斜視図である。
【図７】係止機構の具体的構成を示す正面図である。
【図８】ストッパー機構の具体的構成を示す正面図である。
【図９】スライドプレートの係止状態を示す平面図である。
【図１０】スライドプレートの係止解除状態を示す平面図である。
【図１１】助手席側後列シートのシートクッションを係止した状態を示す側面図である。
【図１２】助手席側後列シートのシートクッションの係止解除状態を示す側面図である。
【図１３】助手席側後列シートのシートクッションを跳ね上げた状態を示す側面図である。
【図１４】助手席シートを後退させた状態を示す側面図である。
【図１５】助手席シートを前進させた状態を示す側面図である。
【図１６】助手席シートを前進させた状態を示す平面図である。
【図１７】本発明の別の実施形態を示す側面図である。
【図１８】助手席側後列シートを格納した状態を示す側面図である。
【図１９】チャイルドシートの設置状態を示す平面図である。
【図２０】助手席シートを後退させた状態を示す平面図である。
【図２１】助手席側後列シートを格納するとともに助手席シートを前進させた状態を示す平面図である。
【図２２】シートベルト機構の使用状態を示す平面図である。
【符号の説明】
【００５７】
１ａ，１ｂ  乗降口
２  車室
５  フロアパネル
７  前列シート
７ａ  運転席シート
７ｂ  助手席シート（前列シート）
８  後列シート
８ａ  独立シート
８ｂ  助手席側後列シート（独立シート）
９  シートクッション
１０  シートバック
６０  シートベルト機構
６１  リトラクタ
６２  肩ベルト（シートベルト）
６３  アンカー
６５  バックル
【図１】
2005280571.tif 000003
【図２】
2005280571.tif 000004
【図３】
2005280571.tif 000005
【図４】
2005280571.tif 000006
【図５】
2005280571.tif 000007
【図６】
2005280571.tif 000008
【図７】
2005280571.tif 000009
【図８】
2005280571.tif 000010
【図９】
2005280571.tif 000011
【図１０】
2005280571.tif 000012
【図１１】
2005280571.tif 000013
【図１２】
2005280571.tif 000014
【図１３】
2005280571.tif 000015
【図１４】
2005280571.tif 000016
【図１５】
2005280571.tif 000017
【図１６】
2005280571.tif 000018
【図１７】
2005280571.tif 000019
【図１８】
2005280571.tif 000020
【図１９】
2005280571.tif 000021
【図２０】
2005280571.tif 000022
【図２１】
2005280571.tif 000023
【図２２】
2005280571.tif 000024